(57)【特許請求の範囲】
【請求項１】
座フレームに座ぶとんを支持し、座ぶとん内の詰物をフォーム体により構成した座席装置の座ぶとんにおいて、
前記フォーム体は、その上層を構成する上層フォームと下層を構成する下層フォームとから成り、
前記上層フォームは４層から成り、上から軟質のポリウレタンフォーム層、布層、軟質のポリウレタンフォーム層および薄型のスポンジ層にて構成され、
前記下層フォームの前端部は、硬質のフォーム材により形成されていて、前記座フレームに載置されており、
前記下層フォームの前端部の上面後部は、後方に向かって下方へ傾斜する面取り部を有していることを特徴とする座席装置の座ぶとん。
【請求項２】
座フレームに座ぶとんを支持し、座ぶとん内の詰物をフォーム体により構成した座席装置の座ぶとんにおいて、
前記フォーム体は、その上層を構成する上層フォームと下層を構成する下層フォームとから成り、
前記上層フォームは４層から成り、上から軟質のポリウレタンフォーム層、布層、軟質のポリウレタンフォーム層および薄型のスポンジ層にて構成され、
前記下層フォームの前端部は、上下に重ね合わせた上位フォームと下位フォームとから成り、
前記下層フォームの前端部に後続する後続フォーム、および前記上層フォームは、軟質のフォーム材から形成されており、
前記上位フォームは軟質のフォーム材により形成されており、
前記下位フォームは硬質のフォーム材により形成されていて、前記座フレームに載置されており、
前記上位フォームが重なり合う前記下位フォームの上面後部は、後方に向かって下方へ傾斜する面取り部を有していることを特徴とする座席装置の座ぶとん。
【請求項３】
座フレームに座ぶとんを支持し、座ぶとん内の詰物をフォーム体により構成した座席装置の座ぶとんにおいて、
座フレームの前部は、前フレーム部により構成されており、
前記フォーム体は、その上層を構成する上層フォームと下層を構成する下層フォームとから成り、
前記上層フォームは４層から成り、上から軟質のポリウレタンフォーム層、布層、軟質のポリウレタンフォーム層および薄型のスポンジ層にて構成され、
前記下層フォームの前端部は、上下に重ね合わせた上位フォームと下位フォームとから成り、
前記下層フォームの前端部に後続する後続フォーム、および前記上層フォームは、軟質のフォーム材から形成されており、
前記上位フォームは軟質のフォーム材により形成されており、
前記下位フォームは硬質のフォーム材により形成されており、
前記上位フォームが重なり合う前記下位フォームの上面後部は、後方に向かって下方へ傾斜する面取り部を有し、
前記下位フォームは、前記前フレーム部上に載せられる載置フォーム部と、前記前フレーム部の前端部の前方位置に垂下する垂下フォーム部とを有し、
前記フォーム体を覆う表生地は、前記上層フォームの前端面を覆うとともに、前記下位フォームの垂下フォーム部の前面を覆って、該垂下フォーム部の後面に止着されていることを特徴とする座席装置の座ぶとん。
【発明の詳細な説明】
【０００１】
【発明の属する技術分野】
本発明は、座ぶとん内の詰物をフォーム体により構成した座席装置の座ぶとんに関する。
【０００２】
【従来の技術】
近年、腰掛けとしての座ぶとんは、軽量化の要求から、座ぶとん内の詰物がポリウレタンフォームなどのフォーム体により構成したフルウレタンフォームのものが開発されている。このようなフォーム体を成形するにあたり、加工性などの制作面および座り心地などの性能面の両面の考えに基づき、ポリウレタンフォームの硬軟の選定が行われている。
制作面における考え方としては、フルウレタンフォーム構成においては、座ぶとんの一般的な支持枠である金枠などがないので、フルウレタンフォームに表生地を被覆する際にフルウレタンフォームが大きく変形しないようある程度硬質のものが求められる。
【０００３】
性能面における考え方としては、一般的に、着座者は軟質の座ぶとんを望んでおり、その耐久性を加味した上で、フルウレタンフォームはある程度軟質のものが求められる。
前記両面の考え方に基づき、従来の座ぶとんとしては、図６および図７に示すように、座ぶとんのフォーム体１を上層フォーム２と下層フォーム３とに分け、座フレームの前フレーム部に支持される下層フォーム３の前端部４を硬質のものにし、被覆する表生地の前端縁を、大きく変形しない硬質の下層フォーム３の前端部４に止着して、加工性を向上するとともに、下層フォーム３の他の部分および上層フォーム２を軟質のものにして、座り心地を向上することができるようにしている。
【０００４】
【発明が解決しようとする課題】
しかしながら、このような従来の座席装置の座ぶとんでは、硬質の下層フォーム３の前端部４の上面後縁の角５を、軟質の上層フォーム２を介して着座者が大腿部の裏側で感じて、着座者に違和感を与えるとともに、硬質の下層フォーム３の前端部４の上面後縁の角５が着座者の大腿部の裏側を圧迫するようになると、座り心地がわるくなるという問題点があった。
本発明は、このような従来の技術が有する問題点に着目してなされたもので、軟質の上層フォームを用い、着座面を軟質のものにして、座り心地を損なうことなく、硬質の下層フォームの前端部の上面後部に面取り部を設けて、当該上面後部が軟質の上層フォームを介して着座者の大腿部の裏側で感じ取られないようにして、着座者に違和感を与えずに、下層フォームの前端部の上面後部が着座者の大腿部の裏側を圧迫するようなこともなくし、座り心地を良くすることができるようにした座席装置の座ぶとんを提供することを目的としている。
【０００５】
【課題を解決するための手段】
かかる目的を達成するための本発明の要旨とするところは、次の各項の発明に存する。
［１］座フレーム（１２）に座ぶとん（１０）を支持し、座ぶとん（１０）内の詰物をフォーム体（２０ａ）により構成した座席装置の座ぶとん（１０）において、
前記フォーム体（２０ａ）は、その上層を構成する上層フォーム（２０）と下層を構成する下層フォーム（３０）とから成り、
前記上層フォーム（２０）は４層から成り、上から軟質のポリウレタンフォーム層（２１）、布層（２２）、軟質のポリウレタンフォーム層（２３）および薄型のスポンジ層（２４）にて構成され、
前記下層フォーム（３０）の前端部（３１）は、硬質のフォーム材により形成されていて、前記座フレーム（１２）に載置されており、
前記下層フォーム（３０）の前端部（３１）の上面後部（３４）は、後方に向かって下方へ傾斜する面取り部（３５）を有していることを特徴とする座席装置の座ぶとん（１０）。
【０００６】
［２］座フレーム（１２）に座ぶとん（１０）を支持し、座ぶとん（１０）内の詰物をフォーム体（２０ａ）により構成した座席装置の座ぶとん（１０）において、
前記フォーム体（２０ａ）は、その上層を構成する上層フォーム（２０）と下層を構成する下層フォーム（３０）とから成り、
前記上層フォーム（２０）は４層から成り、上から軟質のポリウレタンフォーム層（２１）、布層（２２）、軟質のポリウレタンフォーム層（２３）および薄型のスポンジ層（２４）にて構成され、
前記下層フォーム（３０）の前端部（３１）は、上下に重ね合わせた上位フォーム（３２）と下位フォーム（３３）とから成り、
前記下層フォーム（３０）の前端部（３１）に後続する後続フォーム（３８）、および前記上層フォーム（２０）は、軟質のフォーム材から形成されており、
前記上位フォーム（３２）は軟質のフォーム材により形成されており、
前記下位フォーム（３３）は硬質のフォーム材により形成されていて、前記座フレーム（１２）に載置されており、
前記上位フォーム（３２）が重なり合う前記下位フォーム（３３）の上面後部（３４）は、後方に向かって下方へ傾斜する面取り部（３５）を有していることを特徴とする座席装置の座ぶとん（１０）。
【０００７】
［３］座フレーム（１２）に座ぶとん（１０）を支持し、座ぶとん（１０）内の詰物をフォーム体（２０ａ）により構成した座席装置の座ぶとん（１０）において、
座フレーム（１２）の前部は、前フレーム部（１３）により構成されており、
前記フォーム体（２０ａ）は、その上層を構成する上層フォーム（２０）と下層を構成する下層フォーム（３０）とから成り、
前記上層フォーム（２０）は４層から成り、上から軟質のポリウレタンフォーム層（２１）、布層（２２）、軟質のポリウレタンフォーム層（２３）および薄型のスポンジ層（２４）にて構成され、
前記下層フォーム（３０）の前端部（３１）は、上下に重ね合わせた上位フォーム（３２）と下位フォーム（３３）とから成り、
前記下層フォーム（３０）の前端部（３１）に後続する後続フォーム（３８）、および前記上層フォーム（２０）は、軟質のフォーム材から形成されており、
前記上位フォーム（３２）は軟質のフォーム材により形成されており、
前記下位フォーム（３３）は硬質のフォーム材により形成されており、
前記上位フォーム（３２）が重なり合う前記下位フォーム（３３）の上面後部（３４）は、後方に向かって下方へ傾斜する面取り部（３５）を有し、
前記下位フォーム（３３）は、前記前フレーム部（１３）上に載せられる載置フォーム部（３６）と、前記前フレーム部（１３）の前端部の前方位置に垂下する垂下フォーム部（３７）とを有し、
前記フォーム体（２０ａ）を覆う表生地（４０）は、前記上層フォーム（２０）の前端面を覆うとともに、前記下位フォーム（３３）の垂下フォーム部（３７）の前面を覆って、該垂下フォーム部（３７）の後面に止着されていることを特徴とする座席装置の座ぶとん（１０）。
【０００８】
次に、前記各項に記載された発明の作用について説明する。
［１］項記載の座席装置の座ぶとん（１０）では、
フォーム体（２０ａ）は、その上層を構成する上層フォーム（２０）と下層を構成する下層フォーム（３０）とから成り、下層フォーム（３０）の前端部（３１）は、硬質のフォーム材により形成されているため、軟質の上層フォーム（２０）によって、着座面が柔らかめになり、座り心地を損なうことがない。また、上層フォーム（２０）は４層から成り、上から軟質のポリウレタンフォーム層（２１）、布層（２２）、軟質のポリウレタンフォーム層（２３）および薄型のスポンジ層（２４）にて構成される。
【０００９】
着座者の荷重は、上層フォーム（２０）および下層フォーム（３０）を介して座フレーム（１２）が受ける。着座者の荷重の反力は、座フレーム（１２）から下層フォーム（３０）および上層フォーム（２０）を介して着座者の大腿部などに伝わる。
【００１０】
下層フォーム（３０）の前端部（３１）の上面後部（３４）は、後方に向かって下方へ傾斜する面取り部（３５）を有しているので、着座者が、軟質の上層フォーム（２０）を介して硬質の下層フォーム（３０）の前端部（３１）を感じることがなく、下層フォーム（３０）の前端部（３１）の上面後部（３４）が着座者の大腿部の裏側を圧迫することもなくなり、座り心地がよい。
【００１１】
［２］項記載の座席装置の座ぶとん（１０）では、
軟質の上層フォーム（２０）によって、着座面が柔らかめになり、座り心地を損なうことがない。また、上層フォーム（２０）は４層から成り、上から軟質のポリウレタンフォーム層（２１）、布層（２２）、軟質のポリウレタンフォーム層（２３）および薄型のスポンジ層（２４）にて構成される。
軟質の上位フォーム（３２）が重なり合う下位フォーム（３３）の上面後部（３４）は、後方に向かって下方へ傾斜する面取り部（３５）を有しているので、着座者が、軟質の上層フォーム（２０）および同じく軟質の上位フォーム（３２）を介して硬質の下層フォーム（３０）の前端部（３１）を感じることがなく、硬質の下位フォーム（３３）の上面後部（３４）が着座者の大腿部の裏側を圧迫することもなくなり、座り心地がよい。
【００１２】
［３］項記載の座席装置の座ぶとん（１０）では、
軟質の上層フォーム（２０）によって、着座面が柔らかめになり、座り心地を損なうことがない。また、上層フォーム（２０）は４層から成り、上から軟質のポリウレタンフォーム層（２１）、布層（２２）、軟質のポリウレタンフォーム層（２３）および薄型のスポンジ層（２４）にて構成される。
軟質の上位フォーム（３２）が重なり合う下位フォーム（３３）の上面後部（３４）は、後方に向かって下方へ傾斜する面取り部（３５）を有しているので、着座者が、軟質の上層フォーム（２０）および同じく軟質の上位フォーム（３２）を介して硬質の下層フォーム（３０）の前端部（３１）を感じることがなく、硬質の下位フォーム（３３）の上面後部（３４）が着座者の大腿部の裏側を圧迫することもなくなり、座り心地がよい。
【００１３】
下位フォーム（３３）の載置フォーム部（３６）が座フレーム（２）の前フレーム部（１３）上に載せられており、下位フォーム（３３）の垂下フォーム部（３７）が前フレーム部（１３）の前端部（３１）の前方位置に垂下している。
【００１４】
載置フォーム部（３６）が座フレーム（１２）の前フレーム部（１３）上に載せられていることから、着座荷重を硬質の載置フォーム部（３６）が大きく変形することが無く確実に受け止めることができる。また、フォーム体（２０ａ）に表生地（４０）を覆う際に、表生地（４０）の前端部（３１）は、上層フォーム（２０）の前端面を覆うとともに、下位フォーム（３３）の垂下フォーム部（３７）の前面を覆って、該垂下フォーム部（３７）の後面に止着されている。このとき、垂下フォーム部（３７）も同じく硬質であるので、大きく変形することなく、表生地（４０）の前端縁を止めることができる。
【００１５】
【発明の実施の形態】
以下、図面に基づき本発明の一実施の形態を説明する。
図１〜図５は本発明の一実施の形態を示している。
図２は、本発明の一実施の形態に係る座席装置の斜視図である。図３は図４のIII−III線断面図である。図４は本発明の一実施の形態に係る座ぶとんの平面図である。図５は図４のＶ矢視図である。
【００１６】
図２〜図５に示すように、据付部である台座に座席装置１０ａの座フレーム１２が支持され、座フレーム１２には座ぶとん１０が支持され、座ぶとん１０内の詰物は、フォーム体２０ａにより構成されている。座フレーム１２は、前部を構成する前フレーム部１３と、後部を構成する後フレーム（図示省略）とを有している。後フレームには背ずり１５が起立姿勢とリクライニング姿勢とに傾動可能に支持されている。
【００１７】
フォーム体２０ａにはポリウレタンフォームが用いられている。フォーム体２０ａは、その上層を構成する上層フォーム２０と下層を構成する下層フォーム３０とから成る。上層フォーム２０は４層から成り、上から軟質のポリウレタンフォーム層２１、布層２２、軟質のポリウレタンフォーム層２３および薄型のスポンジ層２４にて構成されている。それにより、上層フォーム２０全体では、軟質なものに成っている。また、ポリウレタンフォーム層２１の両側部には、三角形断面のフォーム２５が結合している。
【００１８】
図１、図３および図５に示すように、下層フォーム３０の前端部３１は、上下に重ね合わせた上位フォーム３２と下位フォーム３３とから成る。下層フォーム３０の前端部３１に後続する後続フォーム３８、および上層フォーム２０は、軟質のポリウレタンフォームから形成されている。上位フォーム３２は軟質のポリウレタンフォームにより構成されており、下位フォーム３３は硬質のポリウレタンフォームにより構成されている。
【００１９】
上位フォーム３２が重なり合う下位フォーム３３の上面後部３４は、後方に向かって下方へ傾斜する面取り部３５を有している。面取り部３５は、下位フォーム３３の上面の前縁から後縁に渡って平らな面に形成されていて、下位フォーム３３ばかりでなく上位フォーム３２も成形し易くなっているが、下位フォーム３３の硬さによっては、上面後部３４に相当する角の部分のみを切除すれば足りる場合もある。また、面取り部３５は平らな面に限らず、上方へ大きく湾曲した湾曲面であってもよい。要は、上面後部３４が角張っていなければ良い。
【００２０】
下位フォーム３３は、前フレーム部３上に載せられる載置フォーム部３６と、前フレーム部１３の前端部３１の前方位置に垂下して、前端部３１を前方から覆う垂下フォーム部３７とから成る。前フレーム部１３は、前方へ向かって斜め上方へ延びる前延部１４を有していて、前フレーム部１３の前延部１４に載置フォーム部３６の裏面が沿うようにして載置されている。フォーム体２０ａは表生地４０により被覆されており、表生地４０の前端部４１は、上層フォーム２０の前端面を覆うとともに、下位フォーム３３の垂下フォーム部３７の前面を覆って、垂下フォーム部３７の後面に止着されている。図示省略したが、垂下フォーム部３７の後面にはファスナー布が貼着され、表生地４０の前端縁にもファスナー布が縫着され、両方のファスナーが係合している。
【００２１】
次に、作用を説明する。
座ぶとん１０の詰物であるフォーム体２０は、その上層に軟質の上層フォーム２０を設けることによって、着座面が柔らかめになり、座り心地を損なうことがない。
本座ぶとん１０に着座すると、上層フォーム２０が大きく撓んで、着座荷重を下層フォーム３０を介して座フレーム１２が受けるようになる。
【００２２】
このとき、着座者の大腿部が当たる座ぶとん１０の前端部においては、軟質の上位フォーム３２が重なり合う硬質の下位フォーム３３の上面後部３４は、後方に向かって下方へ傾斜する面取り部３５を有しているので、着座者の大腿部の裏側で、軟質の上層フォーム２０および同じく軟質の上位フォーム３２を介して硬質の下層フォーム３０の前端部３１を感じることがなく、着座者に違和感を与えないで済む。硬質の下位フォーム３３の上面後部３４が着座者の大腿部の裏側を圧迫することもなくなり、座り心地がよい。
【００２３】
座ぶとん１０の前端部においては、下位フォーム３３の載置フォーム部３６が座フレーム１２の前フレーム部１３上に載せられており、下位フォーム３３の垂下フォーム部３７が前フレーム部１３の前端部３１の前方位置に垂下していて、垂下フォーム部３７が前フレーム部１３を前方から覆っている。
載置フォーム部３６が座フレーム１２の前フレーム部１３上に載せられていることにより、着座荷重を硬質の載置フォーム部３６が大きく変形することが無く確実に受け止めることができる。また、フォーム体２０ａに表生地４０を覆う際に、表生地４０の前端部３１は、上層フォーム２０の前端面を覆うとともに、下位フォーム３３の垂下フォーム部３７の前面を覆って、垂下フォーム部３７の後面側に巻き回され、前端部３１側のファスナー布（図示省略）が垂下フォーム部３７の後面側のファスナー布（同じく図示省略）に係合している。このとき、垂下フォーム部３７も同じく硬質であるので、大きく変形することなく、表生地４０の前端部３１を止めることができる。
【００２４】
前記実施の形態においては、載置フォーム部３６と垂下フォーム部３７とを別体のものを示したが、一体的に形成してもよい。同じく、上位フォーム３２と後続フォーム３８とを別体のものを示したが、一体的に形成してもよい。
【００２５】
【発明の効果】
本発明にかかる座席装置の座ぶとんによれば、軟質の上層フォームを用い、上層フォームは４層から成り、上から軟質のポリウレタンフォーム層、布層、軟質のポリウレタンフォーム層および薄型のスポンジ層にて構成して、着座面を軟質のものにしたので、座り心地を損なうことなく、硬質の下層フォームの前端部の上面後部に面取り部を設けたので、当該上面後部が軟質の上層フォームを介して着座者の大腿部の裏側で感じ取られないようにして、着座者に違和感を与えずに、下層フォームの前端部の上面後部が着座者の大腿部の裏側を圧迫するようなこともなくし、座り心地を良くすることができる。
【図面の簡単な説明】
【図１】本発明の一実施の形態に係る座ぶとんのフォーム体の断面図である。
【図２】本発明の一実施の形態に係る座席装置の斜視図である。
【図３】図４のIII−III線断面図である。
【図４】本発明の一実施の形態に係る座ぶとんの平面図である。
【図５】図４のＶ矢視図である。
【図６】従来例を示す座ぶとんの側面図である。
【図７】従来例を示す座ぶとんの断面図である。
【符号の説明】
１０ａ…座席装置
１２…座フレーム
１３…前フレーム部
１４…前延部
１５…背ずり
１０…座ぶとん
２０…上層フォーム
２０ａ…フォーム体
２１…リウレタンフォーム層
２２…布層
２４…スポンジ層
３０…下層フォーム
３１…前端部
３２…上位フォーム
３３…下位フォーム
３４…上面後部
３５…面取り部
３６…載置フォーム部
３７…垂下フォーム部
３８…後続フォーム
４０…表生地
４１…前端部
【図１】
0003839558.tif 000002
【図２】
0003839558.tif 000003
【図３】
0003839558.tif 000004
【図４】
0003839558.tif 000005
【図５】
0003839558.tif 000006
【図６】
0003839558.tif 000007
【図７】
0003839558.tif 000008